(57)【要約】【課題】必要な強度を容易に確保することができ、高所作業の安全性が高い、手摺部材を足場部材に対して折畳み可能な手摺付き足場を提供する。【解決手段】踏板３及びその左右に水平片４Ａ，５Ａが取り付けられ、垂直片４Ｂ，５Ｂが上側に延びる、左右のアングル材４，５からなる足場部材２、前後に延びる上下の水平杆体７Ａ，７Ｂ，８Ａ，８Ｂ及び上下の水平杆体を連結する連結杆体７Ｃ，８Ｃからなる左右の手摺部材７，８と、下水平杆体７Ｂ，８Ｂと連結体９，１０によりに連結されて手摺部材７，８と一体化するようにその下側に設けられた、前後に延びる水平軸体１１，１２を、垂直片４Ｂ，５Ｂの内側に位置させた状態で、水平軸体１１，１２が回動軸となるように垂直片４Ｂ，５Ｂに取り付けるＵボルト１３，…と、起立状態の手摺部材７，８を吊下げ部材２１，２２，…に固定する固定手段１４，…とを備えた。【選択図】図１
2010106485.tif 000002
【特許請求の範囲】
【請求項１】
前後左右の吊下げ部材間に架設される手摺付き足場であって、
前後方向に延びる矩形状水平踏板、及び、該水平踏板の左右両端部に左右方向内側に延びる水平片を添わせるように取り付けられるとともに垂直片が上側に延びる、左右一対の前後方向に延びるアングル材からなる足場部材と、
前後方向に延びる少なくとも上下２本の水平杆体及びこれら上下の水平杆体を連結する連結杆体からなる左右一対の手摺部材と、
該手摺部材の下水平杆体、又は、該下水平杆体と連結体によりに連結されて前記手摺部材と一体化するようにその下側に設けられた、前後方向に延びる水平軸体を、前記アングル材の垂直片の左右方向内側に位置させた状態で、前記下水平杆体又は水平軸体が回動軸となるように前記下水平杆体又は水平軸体を前記垂直片に取り付けるＵボルトと、
前記回動軸の上側に起立した状態の前記手摺部材を前記吊下げ部材に固定する固定手段と、
を備えたことを特徴とする手摺付き足場。
【発明の詳細な説明】
【技術分野】
【０００１】
本発明は、工場内においてメンテナンス作業等を行うために架設される手摺付き足場に関するものである。
【背景技術】
【０００２】
工場内においてメンテナンス作業等を行うために架設される手摺付き足場として、工場の床上に存在する装置又は設備の上空にある吊下げ部材間に架設されるものがあり、このような手摺付き足場の例としてオーバーヘッドコンベアに用いられるものが挙げられる。
このオーバーヘッドコンベア用手摺付き足場は、メンテナンス作業時等における足場としての機能及びコンベアからの落下物を受け止める機能を有する足場部材と、作業者の墜落防止用の手摺部材とを組み合わせて構成され、建屋の主梁に直交するように架設された補助梁から垂下する吊下げ部材により支持される。
【０００３】
このような手摺付き足場は、床上に装置又は設備が存在することによるスペースの制約があることから、地上で手摺部材を足場部材に連結固定し、この手摺付き足場全体をチェーンブロック等により吊り上げて吊下げ部材に連結固定するための空間を確保することができない場合が多い。
よって、このような場合には、先ず、足場部材のみをチェーンブロック等により吊り上げて吊下げ部材に取り付ける作業を行い、この作業が完了した後に足場部材上に乗った作業者が、チェーンブロック等により吊り上げた手摺部材を足場部材の左右に連結固定する作業を行っている。
【０００４】
また、工場内で使用される手摺付き足場ではないが、住宅の外壁屋外側面に突出して配設される手摺付き廊下床パネルとして、廊下床パネル本体の突出縁部に立設される手摺の手摺支柱基端部を回転ピンまわりに回転可能に支持する支持体を廊下床パネル本体に取り付けることにより、手摺を廊下床パネル本体に対して折畳み起立自在とするとともに、起立させた状態の手摺の手摺支柱基端部を固定ボルトにより支持体に固定することができるようにしたものがある（例えば、特許文献１参照。）。
さらに、工場内で使用される手摺付き足場ではないが、仮設用タラップとして使用される可搬式タラップとして、階段踏板を有する左右の階段主桁と、該階段主桁に階段踏板上への折畳みを可能に取り付けた左右の手摺と、手摺子に外嵌されその長手方向にスライド可能であり、下降位置にスライドさせることにより各手摺を起立位置に保持するガイドスリーブを備えたものがある（例えば、特許文献２参照。）。
【０００５】
【特許文献１】実開平６−４２０１号公報（図１−３）
【特許文献２】実開昭６４−２８４８号公報（第１−６図）
【発明の開示】
【発明が解決しようとする課題】
【０００６】
工場の床上に装置や設備が存在する状態で、これらの上空に架設される従来の手摺付き足場では、手摺部材が無い状態の足場部材上に乗った作業者が手摺部材を足場部材の左右に連結固定する高所作業を行う必要があるため、このような高所作業時の際に墜落する危険がある。
ここで、特許文献１又は特許文献２のような折畳み可能な構成を、工場の床上に装置や設備が存在する状態で、これらの上空に架設する手摺付き足場として採用すれば、手摺部材を折り畳んだ状態として前記設備等との干渉を避けながら足場部材を吊下げ部材に連結固定した後、手摺部材を起立状態とすれば直ちに手摺が形成されることから、作業者が手摺部材を足場部材の左右に連結固定する高所作業を行う必要が無くなるため、高所作業を行う作業者が墜落するリスクを低減することができるとともに、手摺部材を折り畳んだ状態とすることにより嵩張らないため、運搬又は収納の際におけるスペース効率が高くなる。
【０００７】
しかし、特許文献１のような折畳み可能な構成を採用した場合には、折り畳んだ状態で省スペース化を図る必要があることから、足場部材（廊下床パネル本体）に取り付けられる支持体の上下方向の寸法を大きくすることができないとともに、該支持体により手摺支柱の基端部（下端部）を回転ピンまわりに回転可能に支持し、手摺支柱の基端部を支持体に対して固定ボルトを用いて固定することにより手摺部材の起立状態を保持する構成であるため、手摺部材を起立させた状態として前記基端部を支持体に固定しても、作業者が躓いて手摺に寄りかかった際等に手摺部材が外側に倒れやすく、メンテナンス作業等を高所で行う際における十分な安全性を確保することができない。
したがって、手摺部材が外側へ倒れる方向の強度及び剛性を大きくするために補強を行う必要があるため、この補強構造のためのコストが増大する。
【０００８】
また、特許文献２のような折畳み可能な構成を採用した場合には、特許文献１と同様の課題があるとともに、複数のガイドスリーブの上下部に形成されたＬ字状の孔、ピンにより枢着された上下の枢着金具、該上下の枢着金具に固定され、前記Ｌ字状の孔に係合するガイドスリーブ用固定ピン等を備える必要があるため、さらにコストが増大する。
よって、特許文献１又は特許文献２のような折畳み可能な構成を、工場の床上に装置や設備が存在する状態で、これらの上空に架設する手摺付き足場として採用した場合には、上述の作用効果を奏するものではあるが、コストを増大させずにメンテナンス作業等を高所で行う際における十分な安全性を確保するという観点からは、改良の余地がある。
【０００９】
そこで本発明が前述の状況に鑑み、解決しようとするところは、簡素な構成により据付け後に必要な強度を容易に確保することができ、よって、コストを増大させずにメンテナンス作業等を高所で行う際における十分な安全性を確保することができる、手摺部材を足場部材に対して折畳み可能な構成の手摺付き足場を提供する点にある。
【課題を解決するための手段】
【００１０】
本発明に係る手摺付き足場は、前記課題解決のために、前後左右の吊下げ部材間に架設される手摺付き足場であって、前後方向に延びる矩形状水平踏板、及び、該水平踏板の左右両端部に左右方向内側に延びる水平片を添わせるように取り付けられるとともに垂直片が上側に延びる、左右一対の前後方向に延びるアングル材からなる足場部材と、前後方向に延びる少なくとも上下２本の水平杆体及びこれら上下の水平杆体を連結する連結杆体からなる左右一対の手摺部材と、該手摺部材の下水平杆体、又は、該下水平杆体と連結体によりに連結されて前記手摺部材と一体化するようにその下側に設けられた、前後方向に延びる水平軸体を、前記アングル材の垂直片の左右方向内側に位置させた状態で、前記下水平杆体又は水平軸体が回動軸となるように前記下水平杆体又は水平軸体を前記垂直片に取り付けるＵボルトと、前記回動軸の上側に起立した状態の前記手摺部材を前記吊下げ部材に固定する固定手段とを備えたものである。
【発明の効果】
【００１１】
本発明に係る手摺付き足場によれば、前後左右の吊下げ部材間に架設される手摺付き足場であって、前後方向に延びる矩形状水平踏板、及び、該水平踏板の左右両端部に左右方向内側に延びる水平片を添わせるように取り付けられるとともに垂直片が上側に延びる、左右一対の前後方向に延びるアングル材からなる足場部材と、前後方向に延びる少なくとも上下２本の水平杆体及びこれら上下の水平杆体を連結する連結杆体からなる左右一対の手摺部材と、該手摺部材の下水平杆体、又は、該下水平杆体と連結体によりに連結されて前記手摺部材と一体化するようにその下側に設けられた、前後方向に延びる水平軸体を、前記アングル材の垂直片の左右方向内側に位置させた状態で、前記下水平杆体又は水平軸体が回動軸となるように前記下水平杆体又は水平軸体を前記垂直片に取り付けるＵボルトと、前記回動軸の上側に起立した状態の前記手摺部材を前記吊下げ部材に固定する固定手段とを備えたので、足場部材に対して左右の手摺部材を前後方向の回動軸まわりに回動させて略水平に折り畳んだ状態としておくことにより、工場の床上に存在する装置又は設備との干渉を避けながら、手摺付き足場全体をチェーンブロック等により吊り上げて吊下げ部材に取り付ける作業を行うことができ、この取付作業後に足場部材上に乗った作業者が手摺部材を起立状態とすれば直ちに手摺が形成され、このように手摺が形成された状態で、作業者が固定手段により手摺部材を吊下げ部材に固定する作業を行うことができる。
よって、起立した左右の手摺部材が無い状態のままで足場部材上に乗った作業者が行う、左右の手摺部材を足場部材に取り付ける高所作業が無くなるため、高所作業を行う作業者が墜落するリスクを低減することができる。
また、手摺付き足場単体では、足場部材に対して左右の手摺部材を前後方向の回動軸まわりに回動させて略水平に折り畳んだ状態としておくことができることから、この折畳み状態では嵩張らないため、運搬又は収納の際のスペース効率が高くなる。
【００１２】
さらに、固定手段により手摺部材が吊下げ部材に固定されるため、作業者が躓いて手摺に寄りかかった際等においても手摺部材が外側に倒れにくく十分な倒れ強度及び剛性を容易に確保することができるため、メンテナンス作業等を高所で行う際における安全性を高めることができる。
さらにまた、手摺部材を吊下げ部材に固定する固定手段は簡素な構成により実現可能であること、及び、手摺部材を折畳み可能とする構成が、アングル材とＵボルトを組み合わせて下水平杆体又は水平軸体を回動軸として左右の手摺部材を回動させる簡素な構成であることから、据付け状態で強度が高く、足場部材に対して左右の手摺部材を折畳み可能な手摺付き足場の構成を実現しながら、そのコストが増大することがない。
また、吊下げ部材間に手摺付き足場が架設され据付けが完了した状態では、左右のアングル材の垂直片に対し、手摺部材の連結杆体又は手摺部材と一体化した連結体が、前記垂直片の左右方向内側に当接しており、左右一方の連結杆体又は連結体が回動軸まわりに垂直片から離れる方向に回動しようとすると、他方の連結杆体又は連結体が垂直片へ押し付けられることから、足場部材の左右方向への揺動が抑制されるため、吊下げ部材により支持される手摺付き足場上に乗った作業者がメンナンス作業等を行う際における足場の安定性が高くなる。
【発明を実施するための最良の形態】
【００１３】
次に本発明の実施の形態を添付図面に基づき詳細に説明するが、本発明は、添付図面に示された形態に限定されず特許請求の範囲記載の要件を満たす実施形態の全てを含むものである。
なお、本明細書においては、手摺付き足場１が延びる方向を前後方向（図中矢印Ａを前方とする。）とし、前方に向かって左右をいうものとし、左方から見た図を正面図とする。
また、手摺７，８については、起立状態を基準として上下左右をいうものとする。
【００１４】
図１〜図６は、本発明の実施の形態に係る手摺付き足場１を前後左右の吊下げ部材２１，…，２２，…間に架設した状態を示す図であり、図１は斜視図、図２は正面図、図３は平面図、図４は後方から見た縦断面図、図５は要部を拡大して示す後方から見た縦断面図、図６は図２の矢視Ｘ−Ｘ断面図であり固定手段１４を示している。
【００１５】
手摺付き足場１は、図４及び図５の矢印Ｂに示すように、足場部材２に対して左右の手摺部材７，８を左右方向の内側に折り畳んだ状態（２点鎖線）及び起立させた状態（実線）とすることができるものであり、図１〜図３に示すように、例えば建屋の主梁に直交するように架設された補助梁から垂下する左側前後の吊下げ部材２１，２１の下端部の連結片１９，１９及び右側前後の吊下げ部材２２，２２の下端部の連結片２０，２０に、前後方向に延びる左右のアングル材４，５の垂直片４Ｂ，５Ｂ前後部をボルト２３Ａ及びナット２３Ｂにより固定するとともに、起立状態の左右の手摺部材７，８を固定手段１４，…により左右の吊下げ部材２１，２２，…に固定することにより据付け作業が完了する。
【００１６】
足場部材２は、図１〜図３に示すように、前後方向に延びる矩形状水平踏板であるエキスパンドメタル３、エキスパンドメタル３の左右両端部の下面に左右方向内側に延びる水平片４Ａ，５Ａの上面を添わせて溶着され、垂直片４Ｂ，５Ｂが上側に延びる、左右一対の前後方向に延びるアングル材４，５、左右一対のアングル材４，５を連結するように、これらの下面間に溶着されて架設される左右方向に延びる前後の補強ビーム６Ａ，…、アングル材４，５の前後端に、これらの下面間に溶着されて架設される、前後の足場部材２，２を連結するための連結部材であるアングル材６Ｂ，６Ｂからなる。
ここで、踏板として、板材を網目（菱形）状に機械加工したエキスパンドメタルを用いているため、照明及び視界等を遮ることが少ない。なお、踏板の構造によっては補強ビーム６Ａ，…を無くしてもよい。
【００１７】
図１及び図２に示すように、左側の手摺部材７は、前後方向に延びる上下の、笠木である上水平杆体７Ａ及び手摺受けである下水平杆体７Ｂ並びにこれらを連結する手摺子である、上下方向に延びる連結杆体７Ｃ，…からなり、右側の手摺部材８は、前後方向に延びる上下の、笠木である上水平杆体８Ａ及び手摺受けである下水平杆体８Ｂ並びにこれらを連結する手摺子である、上下方向に延びる連結杆体８Ｃ，…からなる。
なお、連結杆体７Ｃ，８Ｃが延びる方向は必ずしも上下方向でなくてもよいが、前後方向両端部の連結杆体７Ｃ，８Ｃ（これらを特に端部連結杆体７Ｄ，７Ｄと表記する。）が延びる方向は上下方向とする。
また、図１、図２及び図５に示すように、手摺部材７の下水平杆体７Ｂには、その下側に、前後の連結体９，９により連結されて手摺部材７と一体化する前後方向に延びる、例えば３個の水平軸体１１，…が取り付けられ、手摺部材８の下水平杆体８Ｂには、その下側に、前後の連結体１０，１０により連結されて手摺部材８と一体化する前後方向に延びる、例えば３個の水平軸体１２，…が取り付けられる。
【００１８】
次に、足場部材２と左右の手摺部材７，８との連結について説明する。
図１、図４及び図５に示すように、左右のアングル材４，５の垂直片４Ｂ，５Ｂの左右方向内側に、手摺部材７の下側の水平軸体１１，…及び手摺部材８の下側の水平軸体１２，…を位置させた状態で、これら水平軸体１１，…及び１２，…が回動軸Ｃとなるように、水平軸体１１，…及び１２，…に外接する屈曲部を有するＵボルト１３，…の上下の両脚ねじ部１３Ａ，１３Ａを垂直片４Ｂ，５Ｂに形成した図示しない通孔に挿通させ、垂直片４Ｂ，５Ｂの左右方向の外側からナット１３Ｂ，１３Ｂを螺合することにより、足場部材２に対して左右の手摺部材７，８を容易に取り付けることができる。
【００１９】
次に、起立状態の左右の手摺部材７，８を左右の吊下げ部材２１，２２，…に固定する固定手段１４の構成例等について説明する。
図４の２点鎖線のように左右の手摺部材７，８を左右方向内側へ折り畳んだ状態の手摺付き足場１の足場部材２を、工場の床上に存在する装置又は設備との干渉を避けながら、手摺付き足場１全体をチェーンブロック等により吊り上げ、図１に示すように、ボルト及びナット２３Ａ，２３Ｂ，…により左右の吊下げ部材２１，２２，…に固定する作業を、前後の手摺付き足場１，…について行った状態では、足場部材２，…が前後方向に連続しており、作業者用の足場が完成しているため、図４に示すように足場部材２上に作業者が乗り、この作業者が、左右の手摺部材７，８を回動軸Ｃ，Ｃの上側へ起立させた状態とする。
【００２０】
そして、図１、図２、図４及び図６に示すように、左側前後の手摺部材７，７の上下方向に延びる端部連結杆体７Ｄ，７Ｄの上端部に吊下げ部材２１との間に受け板１５をあてがい、押え板１６を左右方向内側（右側）から端部連結杆体７Ｄ，７Ｄにあてがい、ボルト１７Ａを押え板１６の通孔１６Ａ、カラー１８、受け板１５の通孔１５Ａ及び吊下げ部材２１の通孔２１Ａに挿通し、吊下げ部材２１の左右方向の外側（左側）からナット１７Ｂを螺合することにより、左側前後の手摺部材７，７と左側の吊下げ部材２１とが強固に固定される。
同様にして、このような簡素な構成からなる固定手段１４により、右側前後の手摺部材８，８も、その端部連結杆体８Ｄ，８Ｄと右側の吊下げ部材２２とが強固に固定される。
【００２１】
以上のような構成の手摺付き足場１によれば、足場部材２に対して左右の手摺部材７，８を前後方向の回動軸Ｃ，Ｃまわりに回動させて略水平に折り畳んだ状態としておくことにより、工場の床上に存在する装置又は設備との干渉を避けながら、手摺付き足場１全体をチェーンブロック等により吊り上げて吊下げ部材２１，２２，…に取り付ける作業を行うことができ、この取付作業後に足場部材２上に乗った作業者が左右の手摺部材７，８を起立状態とすれば直ちに手摺が形成され、このように手摺が形成された状態で、作業者が固定手段１４，…により左右の手摺部材７，８を吊下げ部材２１，２２に固定する作業を行うことができる。
よって、起立した左右の手摺部材７，８が無い状態のままで足場部材２上に乗った作業者が行う、左右の手摺部材７，８を足場部材２に取り付ける高所作業が無くなるため、高所作業を行う作業者が墜落するリスクを低減することができる。
また、手摺付き足場１単体では、足場部材２に対して左右の手摺部材７，８を前後方向の回動軸Ｃ，Ｃまわりに回動させて略水平に折り畳んだ状態としておくことができることから、この折畳み状態では嵩張らないため、運搬又は収納の際のスペース効率が高くなる。
【００２２】
さらに、固定手段１４，…により手摺部材７，８が吊下げ部材２１，２２，…に強固に固定されるため、作業者が躓いて手摺に寄りかかった際等においても手摺部材７，８が外側に倒れにくく十分な倒れ強度及び剛性を容易に確保することができるため、メンテナンス作業等を高所で行う際における安全性を高めることができる。
さらにまた、固定手段１４，…が簡素な構成であること、及び、手摺部材７，８を折畳み可能とする構成が、アングル材４，５とＵボルト１３，…を組み合わせて水平軸体１１，１２を回動軸として左右の手摺部材７，８を回動させる簡素な構成であることから、据付け状態で強度が高く、足場部材２に対して左右の手摺部材７，８を折畳み可能な手摺付き足場１の構成を実現しながら、そのコストが増大することがない。
【００２３】
また、吊下げ部材２１，２２，…間に手摺付き足場１が架設され据付けが完了した状態では、左右のアングル材４，５の垂直片４Ｂ，５Ｂに対し、左右の手摺部材７，８と一体化した左右の連結体９，１０が、垂直片４Ｂ，５Ｂの左右方向内側に当接しており（図５参照。）、一方の連結体９又は１０が回動軸Ｃまわりに垂直片４Ｂ又は５Ｂから離れる方向に回動しようとすると、他方の連結体１０又は９が垂直片５Ｂ又は４Ｂへ押し付けられることから、足場部材２の左右方向への揺動が抑制されるため、吊下げ部材２１，２２，…により支持される手摺付き足場１上に乗った作業者がメンナンス作業等を行う際における足場の安定性が高くなる。
【００２４】
以上においては、Ｕボルト１３，…により支持される左右の回動軸Ｃ，Ｃが左右の手摺部材７，８の下水平杆体７Ｂ，８Ｂの下側に設けられた水平軸体１１，１２，…である場合について説明したが、左右の手摺部材７，８の下水平杆体７Ｂ，８Ｂ自体がＵボルト１３，…により支持される左右の回動軸Ｃ，Ｃとなるように左右の手摺部材７，８を形成してもよい。
【図面の簡単な説明】
【００２５】
【図１】本発明の実施の形態に係る手摺付き足場を前後左右の吊下げ部材間に架設した状態を示す斜視図である。
【図２】同じく正面図である。
【図３】同じく平面図である。
【図４】同じく後方から見た縦断面図である。
【図５】同じく要部を拡大して示す後方から見た縦断面図である。
【図６】図２の矢視Ｘ−Ｘ断面図である。
【符号の説明】
【００２６】
Ｃ  回動軸
１  手摺付き足場
２  足場部材
３  エキスパンドメタル（踏板）
４，５  アングル材
４Ａ，５Ａ  水平片
４Ｂ，５Ｂ  垂直片
６Ａ  補強ビーム
６Ｂ  アングル材（連結部材）
７，８  手摺部材
７Ａ，８Ａ  上水平杆体（笠木）
７Ｂ，８Ｂ  下水平杆体（手摺受け）
７Ｃ，８Ｃ  連結杆体（手摺子）
７Ｄ，８Ｄ  端部連結杆体
９，１０  連結体
１１，１２  水平軸体
１３  Ｕボルト
１３Ａ  ねじ部
１３Ｂ  ナット
１４  固定手段
１５  受け板
１６  押え板
１７Ａ  ボルト
１７Ｂ  ナット
１８  カラー
１９，２０  連結片
２１，２２  吊下げ部材
２３Ａ  ボルト
２３Ｂ  ナット
【図１】
2010106485.tif 000003
【図２】
2010106485.tif 000004
【図３】
2010106485.tif 000005
【図４】
2010106485.tif 000006
【図５】
2010106485.tif 000007
【図６】
2010106485.tif 000008